(57)【要約】【課題】  ユーザーに違和感を与えることがないような時間で記録状態が悪いことを認識させることができるディスク状記録媒体再生装置を提供する。【解決手段】  信号処理部９は、ＲＳ−ＬＤＣデコードを行う部位を設け、高密度ディスク２に誤り訂正符号を付加して記録されていた変調信号を復調してから誤り訂正処理を施し、読み出そうとしたブロック単位のデータに読み出し不能のエラーが有るか否かを検出する。システムコントローラ１６は、高密度ディスク２を再生中に信号処理部９が読み出そうとした上記ブロック単位のデータに読み出し不能のエラーを検出したときには、ブロック単位のデータの再生時間よりも短い所定の時間だけオーディオデコーダ１３を通してミュート状態にする。【選択図】  図４
2005327426.tif 000002
【特許請求の範囲】
【請求項１】
ディスク状記録媒体に記録されているデータをブロック単位で読み出すとき、読み出そうとした上記ブロック単位のデータに読み出し不能のエラーが有るか否かを検出する読み出し手段と、
上記読み出し手段によって読み出されたブロック単位のデータを溜め込む記憶手段と、
上記記憶手段に溜め込まれたブロック単位のデータをデコードするデコード手段と、
上記ディスク状記録媒体を再生中に上記読み出し手段が読み出そうとした上記ブロック単位のデータに読み出し不能のエラーを検出したときには、上記ブロック単位のデータの再生時間よりも短い所定の時間だけ上記デコード手段を通してミュート状態にする制御手段を備えることを特徴とするディスク状記録媒体再生装置。
【請求項２】
上記制御手段は、上記読み出し手段が上記読み出し不能のエラーを検出したときには、上記ブロック単位のデータの再生時間よりも短い所定の時間だけミュート状態にし、その後上記読み出し手段によって読み出され、上記記憶手段に溜め込まれた後続のブロック単位のデータの上記デコード手段からのデコード結果を出力することを特徴とする請求項１記載のディスク状記録媒体再生装置。
【請求項３】
上記読み出し手段は、上記ディスク状記録媒体に誤り訂正符号を付加して記録されていた変調信号を復調してから誤り訂正処理を施し、読み出そうとした上記ブロック単位のデータに読み出し不能のエラーが有るか否かを検出することを特徴とする請求項１記載のディスク状記録媒体再生装置。
【発明の詳細な説明】
【技術分野】
【０００１】
本発明はディスク状記録媒体再生装置に関し、ディスク状記録媒体よりオーディオ信号を再生中に、読み出し不能のデータがあったときにミュート状態にするディスク状記録媒体再生装置に関する。
【背景技術】
【０００２】
現在、直径を略６４ｍｍとなし、例えば楽音信号で７４分以上の記録を可能となす記憶容量を備えている、小径の光ディスクが広く知られるようになった。この小径の光ディスクは、ミニディスクＭＤ（登録商標）と呼ばれ、ピットによりデータが記録されている再生専用型と、光磁気記録（ＭＯ）方式によりデータが記録されており再生も可能な記録再生型の２種類がある。以下の説明は、記録再生型の小径光ディスク（以下、光磁気ディスクという）に関する。上記光磁気ディスクは記録容量を上げるため、トラックピッチや、記録レーザ光の記録波長或いは対物レンズのＮＡ等が改善されてきている。
【０００３】
図８に示すように、トラックピッチ１．６μｍでグルーブ記録、また変調方式がＥＦＭである、初期の光磁気ディスクを第１世代ＭＤと記す。この第１世代ＭＤの物理フォーマットは、以下のように定められている。トラックピッチは、１．６μｍ、ビット長は、０．５９μｍ／ｂｉｔとなる。また、レーザ波長λは、λ＝７８０ｎｍであり、光学ヘッドの開口率は、ＮＡ＝０．４５としている。記録方式としては、グルーブ（ディスク盤面上の溝）をトラックとして記録再生に用いるグルーブ記録方式を採用している。また、アドレス方式は、ディスク盤面上にシングルスパイラルのグルーブを形成し、このグルーブの両側に対してアドレス情報としてのウォブル（Wobble）を形成したウォブルドグルーブを利用する方式を採っている。なお、本明細書では、ウォブリングにより記録される絶対アドレスをＡＤＩＰ（Address in Pregroove）ともいう。この第１世代ＭＤは、記録データの変調方式として、ＥＦＭ（８−１４変換）変調方式が採用されている。また、誤り訂正方式としては、ＡＣＩＲＣ(Advanced Cross Interleave Reed-Solomon Code)を用いている。また、データインターリーブには、畳み込み型を採用している。これにより、データの冗長度は、４６．３％となっている。また、第１世代ＭＤにおけるデータの検出方式は、ビットバイビット方式であって、ディスク駆動方式としては、ＣＬＶ(Constant Linear Verocity)が採用されている。ＣＬＶの線速度は、１．２ｍ／ｓである。記録再生時の標準のデータレートは１３３ｋＢ／ｓ、記録容量は１６４ＭＢ（ＭＤ−ＤＡＴＡでは、１４０ＭＢ）である。また、データの最小書換単位（クラスタ）は、３２個のメインセクタと４個のリンクセクタによる３６セクタで構成されている。
【０００４】
さらに、近年では、第１世代ＭＤよりもさらに記録容量を上げた高密度ＭＤが開発された。先ず、従来の媒体（ディスクやカートリッジ）はそのままに、変調方式や、論理構造などを変更してユーザエリア等を倍密度にし、記録容量を例えば３００ＭＢに増加したＭＤ（以下、高密度ＭＤ−１という）が開発された。記録媒体の物理的仕様は、同一であり、トラックピッチは、１．６μｍ、レーザ波長λは、λ＝７８０ｎｍであり、光学ヘッドの開口率は、ＮＡ＝０．４５である。記録方式としては、グルーブ記録方式を採用している。また、アドレス方式は、ＡＤＩＰを利用する。このように、ディスクドライブ装置における光学系の構成やＡＤＩＰアドレス読出方式、サーボ処理は、第１世代ＭＤと同様である。この高密度ＭＤ−１は、記録データの変調方式として、高密度記録に適合したＲＬＬ（１−７）ＰＰ変調方式（ＲＬＬ；Run Length Limited、ＰＰ：Parity preserve/Prohibit rmtr(repeated minimum transition runlength)）を採用している。また、誤り訂正方式としては、より訂正能力の高いＢＩＳ（Burst Indicator Subcode）付きのＲＳ−ＬＤＣ（Reed Solomon−Long Distance Code）方式を用いている。
【０００５】
さらに、高密度ディスクとしては、高密度ＭＤ−１より記録容量を増加した高密度ＭＤ−３が、外形、光学系は互換性を保ちながらも、トラックピッチを１．２５μｍに狭め、かつ例えば前記グルーブから磁壁移動検出（Domain Wall Displacement Detection：ＤＷＤＤ）によって記録マークを検出する方式で開発された。この高密度ＭＤ−３は、記録データの変調方式として、高密度記録に適合したＲＬＬ（１−７）ＰＰ変調方式（ＲＬＬ；Run Length Limited、ＰＰ：Parity preserve/Prohibit rmtr(repeated minimum transition runlength)）を採用している。また、誤り訂正方式としては、より訂正能力の高いＢＩＳ（Burst Indicator Subcode）付きのＲＳ−ＬＤＣ（Reed Solomon−Long Distance Code）方式を用いている。データインターリーブは、ブロック完結型とする。これによりデータの冗長度は、２０．５０％になる。またデータの検出方式は、ＰＲ（１，−１）ＭＬによるビタビ復号方式を用いる。また、データの最小書換単位であるクラスタは、１６セクタ、６４ｋＢで構成されている。ディスク駆動方式にはＺＣＡＶ方式を用い、その線速度は２．０ｍ／ｓとする。記録再生時の標準データレートは、９．８ＭＢ／ｓである。したがって、高密度ＭＤ−３では、ＤＷＤＤ方式及びこの駆動方式を採用することにより、総記録容量を１ＧＢにできた。
【０００６】
上記第１世代ＭＤ、高密度ＭＤ−１、高密度ＭＤ−３は、いずれもディスクから読み出した記録データを一旦バッファメモリに溜め込み、溜め込んだデータをバッファメモリから再生してデコードした後、出力していた。特開２０００−７６８００、特開２００３−３４６４２０には、上述したように、ディスクから読み出した記録データを一旦バッファメモリに溜め込み、溜め込んだデータをバッファメモリから再生する構成の情報再生装置、記録再生装置の構成が開示されている。
【０００７】
また、上記第１世代ＭＤ、高密度ＭＤ−１、高密度ＭＤ−３の内、従来の第１世代ＭＤではディスクからのデータ読み込みに失敗した場合、その部分を「取り込んだもの」として実際の取り込みは行わず、エラー（Error）であるというフラグをたてている。その部分をデコードして音を出すときにエラーの部分はミュート（MUTE）をかけて再生することでノイズになることを防いでいた。
【０００８】
これは従来の第１世代ＭＤはディスク上に暗号化されない状態でデータが記録されていたということ、予期せぬ不定なデータをデコーダにかけてもデコーダが中断、終了（Abort）しないことが保証されていたこと、さらに記録・読取データの単位が1セクタsector（約2Kbyte）ということから成り立っていた。このように、第１世代ＭＤでは、どんなデータでもとにかくデコーダにかけても問題なかったし、せいぜい最小単位の倍数の時間でミュートになるだけだった。1セクタsector（約2Kbyte）の再生時間は、200msec〜250msec程である。よって、倍数としても、400msec〜500msecであり、1秒以内である。
【０００９】
【特許文献１】特開２０００−７６８００
【特許文献２】特開２００３−３４６４２０
【発明の開示】
【発明が解決しようとする課題】
【００１０】
しかし、上記高密度ＭＤ−１、高密度ＭＤ−３のような高密度ＭＤの場合は記録・読取データの最小単位が64Kbyteと大きい上に、音声データの圧縮率を高め、最小32kbps程度まで圧縮できるので、ある一箇所の読み込み失敗（ECCの訂正能力以上のエラー検出）があったときは64Kbyteのデータ欠損になる。
【００１１】
これを時間に換算すると高密度ＭＤ（Hi-MD Audio）で自己録音できる最小ビットレート64kbpsの場合に約8秒、Hi-MD Audioで再生可能な最小ビットレート32kbpsの場合に約15秒の欠損となる。この欠損したデータを再生することは不可能だが、従来のように「そのままMUTE再生」を行うと欠損している時間が長いためにユーザーにかなりの違和感＝再生系統の故障と思わせることに繋がってしまう。
【００１２】
また、エラーである部分を読み取らずにスキップするという方法も考えられるが、それは以下の理由で対応が難しいことがわかっている。読取部分がエラーかどうかは実際にディスク上のデータのアクセスしてみないとわからない。このため、「欠損部分は取り込まない」方法で処理しようとした場合に取り込むべき領域が全体にわたってエラーだった場合に取り込み時のシステム処理が複雑になる。また、アクセス＆リトライして失敗を何度となく繰り返した結果、全部エラーとなるとユーザーにはそこまで何のメッセージも出せないことになる。
【００１３】
本発明は、上記実情に鑑みてなされたものであり、ユーザーに違和感を与えることがないような時間で記録状態が悪いことを認識させることができるディスク状記録媒体再生装置の提供を目的とする。
【課題を解決するための手段】
【００１４】
本発明に係るディスク状記録媒体再生装置は、上記課題を解決するために、ディスク状記録媒体に記録されているデータをブロック単位で読み出すとき、読み出そうとした上記ブロック単位のデータに読み出し不能のエラーが有るか否かを検出する読み出し手段と、上記読み出し手段によって読み出されたブロック単位のデータを溜め込む記憶手段と、上記記憶手段に溜め込まれたブロック単位のデータをデコードするデコード手段と、上記ディスク状記録媒体を再生中に上記読み出し手段が読み出そうとした上記ブロック単位のデータに読み出し不能のエラーを検出したときには、上記ブロック単位のデータの再生時間よりも短い所定の時間だけ上記デコード手段を通してミュート状態にする制御手段を備える。
【００１５】
読み出し手段は、ディスク状記録媒体に記録されているデータをブロック単位で読み出すとき、読み出そうとしたブロック単位のデータに読み出し不能のエラーが有るか否かを検出する。制御手段は、読み出し手段が読み出そうとしたブロック単位のデータに読み出し不能のエラーを検出したときには、ブロック単位のデータの再生時間よりも短い所定の時間だけデコード手段を通してミュート状態にする。
【発明の効果】
【００１６】
本発明に係るディスク状記録媒体再生装置は、読み出し手段が読み出そうとしたブロック単位のデータに読み出し不能のエラーを検出したときには、制御手段がブロック単位のデータの再生時間よりも短い所定の時間だけデコード手段を通してミュート状態にするので、ユーザーに違和感を与えることがないような時間で記録状態が悪いことを認識させることができる。
【００１７】
つまり、高密度ＭＤ（Hi-MD Audio）に記録された圧縮データを再生する場合にそこがエラーで読み取れていない場合、従来どおりMUTE再生してしまうと規格上最大約15秒の無音が続いてしまうことになるが、本発明を適用することによりユーザーが再生機能が故障しているという認識を軽減する、あるいは記録状態が悪いことを認識しやすくできる。
【００１８】
結果として再生経過時間が最大約15秒程度飛んでしまうことになるが、15秒間という長い時間無音である場合の再性機能故障と認識することと比較した場合、少しでもユーザーに不安感を与えないで済ませられる。
【発明を実施するための最良の形態】
【００１９】
以下、本発明を実施するための最良の形態を説明する。図１は実施の形態の光磁気ディスク再生装置１の概略構成を示す図である。この光磁気ディスク再生装置１は、例えば高密度ＭＤ−１や高密度ＭＤ−３のような高密度ディスク２を再生する。
【００２０】
光磁気ディスク再生装置１は、高密度ディスク２に記録されている記録データを読み出すディスク読み出し部３と、所定の記憶容量を有し、ディスク読み出し部３により読み出された記録データが溜め込まれる、例えばリングバッファメモリであるＤＲＡＭ１２と、このＤＲＡＭ１２を制御するメモリコントローラ１５と、ＤＲＡＭ１２から再生されたデータをデコードするオーディオデコーダ１３とを備えて成る。
【００２１】
高密度ディスク２のうち、例えば高密度ＭＤ−３は、オーディオデータの固まりをブロックBlock（16Kbyte）で扱い、音データの最小単位をサウンドフレームSF（Sound Frame）で扱う。1SFあたりの再生時間は圧縮方式（Codec）によって異なり、ATRAC3plusの場合46.4ms/SF、ATRAC3の場合23.2ms/SF、LPCMの場合0.36ms/SFとなっている。さらに、一つのCodec内でも圧縮率（Bitrate）が異なるものが存在するので1Block（16Kbyte）あたりに含まれるSF数は図２内のSF/1Blockのように異なる。
【００２２】
上述したように、1Block内のSF数はビットレートによって異なるが、本実施の形態の光磁気ディスク再生装置１は1SF再生終了の同期信号（以下SF Sync）と、1Block再生終了の同期信号（以下BLK Sync)を発生させている。図３は、BlockとSFとの関係を示す図である。図３（ａ）にて再生が開始されてから、図３（ｂ）のように1SF再生終了の同期信号によってSFの終了が分かる。また、図３（ｃ）のように1Block再生終了の同期信号によってBlockの終了が分かる。したがって、BlockとSFとの関係が各同期信号によって分かる。
【００２３】
ディスク読み出し部３は、高密度ディスク２に記録されているデータをブロック単位で読み出すとき、読み出そうとした上記ブロック単位のデータに読み出し不能のエラーが有るか否かを検出する。このディスク読み出し部３は、高密度ディスク２に誤り訂正符号を付加して記録されていた変調信号を復調してから誤り訂正処理を施し、読み出そうとしたブロック単位のデータに読み出し不能のエラーが有るか否かを検出する。
【００２４】
図４は光磁気ディスク再生装置１の詳細な構成を示す図である。ディスク読み出し部３は、高密度ディスク２を回転させるためのスピンドルモータ４や、高密度ディスク２に記録されているデータを読み取るための光学ピックアップ５、光学ピックアップ５によって読み取られたデータからＲＦ信号、ＡＤＩＰ信号、トラッキングエラー信号、フォーカスエラー信号等を生成するＲＦアンプ６を備える。また、ＲＦアンプ６からのＲＦ信号に再生信号処理を施して、ＤＲＡＭ１２に供給する再生信号処理部９と、上記ＡＤＩＰからアドレスをデコードするアドレスデコーダ１０と、上記各エラー信号に基づいてトラッキングサーボ信号、フォーカスサーボ信号等のサーボ信号を生成してモータドライバ８に供給するサーボ回路７と、ドライブコントローラ１１を備える。
【００２５】
信号処理部９は、高密度ディスク２の再生時にＲＬＬ（１−７）ＰＰ変調に対応する復調（ＰＲ（１，−１）ＭＬ及びビタビ復号を用いたデータ検出に基づくＲＬＬ（１−７）復調）部と、ＲＳ−ＬＤＣデコードを行う部位とを設ける。この信号処理部９が上述したように、高密度ディスク２に誤り訂正符号を付加して記録されていた変調信号を復調してから誤り訂正処理を施し、読み出そうとしたブロック単位のデータに読み出し不能のエラーが有るか否かを検出することになる。
【００２６】
光学ピックアップ５の高密度ディスク２に対するレーザ照射によりその反射光として検出された情報（フォトディテクタによりレーザ反射光を検出して得られる光電流）は、ＲＦアンプ６に供給される。ＲＦアンプ６では、入力された検出情報に対して電流−電圧変換、増幅、マトリクス演算等を行い、再生情報としての再生ＲＦ信号、トラッキングエラー信号ＴＥ、フォーカスエラー信号ＦＥ、グルーブ情報（高密度ディスク２にトラックのウォブリングにより記録されているＡＤＩＰ情報）等を抽出する。
【００２７】
高密度ディスク２の再生時には、ＲＦアンプ６で得られた再生ＲＦ信号は、再生信号処理部９内のＡ／Ｄ変換回路、イコライザ、ＰＬＬ回路、ＰＲＭＬ回路を介して、ＲＬＬ（１−７）ＰＰ復調部及びＲＳ−ＬＤＣデコーダで信号処理される。再生ＲＦ信号は、ＲＬＬ（１−７）ＰＰ復調部において、ＰＲ（１，−１）ＭＬ及びビタビ復号を用いたデータ検出によりＲＬＬ（１−７）符号列としての再生データを得て、このＲＬＬ（１−７）符号列に対してＲＬＬ（１−７）復調処理が行われる。さらに、ＲＳ−ＬＤＣデコーダにて誤り訂正及びデインターリーブ処理される。そして、復調されたデータが高密度ディスク２からの再生データ（圧縮データ）としてＤＲＡＭ１２に出力される。このとき、ＲＳ−ＬＤＣデコーダは、読み出そうとしたブロック単位のデータに読み出し不能のエラーが有るか否かを検出する。
【００２８】
ＲＦアンプ６から出力されるトラッキングエラー信号ＴＥ、フォーカスエラー信号ＦＥは、サーボ回路７に供給され、グルーブ情報は、アドレスデコータ１０に供給される。
【００２９】
アドレスデコータ１０は、グルーブ情報に対してバンドパスフィルタにより帯域制限してウォブル成分を抽出した後、ＦＭ復調、バイフェーズ復調を行ってＡＤＩＰアドレスを抽出する。抽出された、ディスク上の絶対アドレス情報であるＡＤＩＰアドレスは、高密度ディスク２アドレスとされてドライブコントローラ１１に供給される。
【００３０】
ドライブコントローラ１１では、ＡＤＩＰアドレスに基づいて、所定の制御処理を実行する。またグルーブ情報は、スピンドルサーボ制御のためにサーボ回路７に戻される。
【００３１】
サーボ回路７は、例えばグルーブ情報に対して再生クロック（デコード時のＰＬＬ系クロック）との位相誤差を積分して得られる誤差信号に基づき、ＺＣＡＶサーボ制御のためのスピンドルエラー信号を生成する。
【００３２】
またサーボ回路７は、スピンドルエラー信号や、上記のようにＲＦアンプ６から供給されたトラッキングエラー信号、フォーカスエラー信号、或いはドライブコントローラ１１を介したシステムコントローラ１６からのトラックジャンプ指令、アクセス指令等に基づいて各種サーボ制御信号（トラッキング制御信号、フォーカス制御信号、スレッド制御信号、スピンドル制御信号等）を生成し、モータドライバ８に対して出力する。すなわち、上記サーボエラー信号や指令に対して位相補償処理、ゲイン処理、目標値設定処理等の必要処理を行って各種サーボ制御信号を生成する。
【００３３】
モータドライバ８では、サーボ回路７から供給されたサーボ制御信号に基づいて所定のサーボドライブ信号を生成する。ここでのサーボドライブ信号としては、２軸機構を駆動する２軸ドライブ信号（フォーカス方向、トラッキング方向の２種）、スレッド機構を駆動するスレッドモータ駆動信号、スピンドルモータ４を駆動するスピンドルモータ駆動信号となる。このようなサーボドライブ信号により、高密度ディスク２に対するフォーカス制御、トラッキング制御、及びスピンドルモータ４に対するＺＣＡＶ制御が行われる。
【００３４】
ＤＲＡＭ１２は、ディスク読み出し部３から供給される圧縮データを保持し、これをバッファリングする。そして、バッファリングした圧縮データをシステムコントローラ１１からのコマンドによってメモリ制御を行うメモリコントローラ１５の制御の基にオーディオデコーダ１３に対して出力する。
【００３５】
オーディオデコーダ１３は、ＤＲＡＭ１２から入力された圧縮データについての伸長処理を行うことによりデジタルオーディオデータを生成する。そして、このように生成されたデジタルオーディオデータは出力端子１４から図示しないＡ／Ｄ変換器を介することによりアナログのオーディオ信号に変換され、オーディオ出力として再生出力される。
【００３６】
このように光磁気ディスク再生装置１は、高密度ディスク２から読み出したデータを一度ＤＲＡＭ１２にバッファリングしてから再生出力するように構成されている。
【００３７】
システムコントローラ１１には、操作部１７が接続されている。操作部１７は、操作パネル上に、プレイキー、ポーズキー、停止キー、ファーストフォワードＦＦキー、ファーストリバースＦＲキーを備えている。さらに、操作部１７の操作パネルには、液晶表示部が設けられ、バッテリーの残量表示や、Ａ−Ｂリピートに関する表示を行っている。
【００３８】
また、システムコントローラ１６は、高密度ディスク２を再生中にディスク読み出し部３が読み出そうとした上記ブロック単位のデータに読み出し不能のエラーを検出したときには、ブロック単位のデータの再生時間よりも短い所定の時間だけオーディオデコーダ１３を通してミュート状態にする。
【００３９】
図５は、光磁気ディスク再生装置１の一連の処理手順を示すフローチャートである。再生が開始されると、ステップＳ１にてディスク読み取り部３の信号処理部９は、ドライブコントローラ１１を介したシステムコントローラ１６の制御に応じて先頭ブロック内に、読み出し不能のエラーがあるか否かを検出する。ステップＳ２にてシステムコントローラ１６は、信号処理部９が上記読み出し不能のエラーを検出していない判断するとステップＳ３に進んで通常再生、つまり先頭ブロック内の全ＳＦを再生する。一方、システムコントローラ１６は、上記読み出し不能のエラーを検出したと判断すると、エラーフラグをＤＲＡＭ１２内にメモリコントローラ１５を介して書き込む。そして、読み出し不能のブロックについてはエラーフラグを立てたまま、ステップＳ４に進んでエラー再生を行う。このステップＳ４のエラー再生は、ブロック単位のデータの再生時間よりも短い所定の時間、サウンドフレームSF分だけミュート状態とするものである。
【００４０】
上述したように、1SFあたりの再生時間は圧縮方式（Codec）によって異なり、ATRAC3plusの場合46.4ms/SF、ATRAC3の場合23.2ms/SFであった。従来の方法でブロック単位でミュートすると、上述したように、ミュート時間は自己録音できる最小ビットレート64kbpsの場合に約8秒、Hi-MD Audioで再生可能な最小ビットレート32kbpsの場合に約15秒となってしまうのに比較して短時間とすることができる。これにより、ユーザーに違和感を与えることがないような時間で記録状態が悪いことを認識させることができる。
【００４１】
つまり、高密度ＭＤ（Hi-MD Audio）に記録された圧縮データを再生する場合にそこがエラーで読み取れていない場合、従来どおりMUTE再生してしまうと規格上最大約15秒の無音が続いてしまうことになるが、本発明を適用することによりユーザーが再生機能が故障しているという認識を軽減する、あるいは記録状態が悪いことを認識しやすくできる。
【００４２】
結果として再生経過時間が最大約15秒程度飛んでしまうことになるが、15秒間という長い時間無音である場合の再性機能故障と認識することと比較した場合、少しでもユーザーに不安感を与えないで済ませられる。
【００４３】
ステップＳ４における上記エラー再生、又はステップＳ３における通常再生が終了すると、システムコントローラ１６はステップＳ５により次のブロックのエラー検出をディスク読み取り部３に行わせる。そして、ステップＳ２からの処理を繰り返す。
【００４４】
光磁気ディスク再生装置１は、高密度ディスク２のみを再生の対象とする装置であった。上述したように、ユーザーに違和感を与えることがないような時間で記録状態が悪いことを認識させることができた。
【００４５】
さらに本発明は、高密度ＭＤ−１、高密度ＭＤ−３の他に、第１世代ＭＤを再生の対象とする光磁気ディスク記録再生装置に適用してもよい。
【００４６】
図６には、高密度ＭＤ−１、高密度ＭＤ−３の他に、第１世代ＭＤを記録再生の対象とするディスクドライブ装置５０の構成を示す。ディスクドライブ装置５００は、パーソナルコンピュータ（以下、ＰＣと記す。）１００と接続でき、高密度ディスク２をオーディオデータのほか、ＰＣ等の外部ストレージとして使用できる。
【００４７】
ディスクドライブ装置５０は、図６に示すように、光ディスク判別装置を内蔵しているメディアドライブ部２０と、メモリ転送コントローラ５１と、ＤＲＡＭ（バッファメモリ）５２と、補助メモリ５３と、ＵＳＢインタフェース５４、５５と、ＵＳＢハブ５６と、システムコントローラ５７と、オーディオ処理部５８とを備える。
【００４８】
メディアドライブ部２０は、装填された第１世代ＭＤ、高密度ＭＤ−１、及び高密度ＭＤ−３の個々のディスク９０に対する記録／再生を行う。メディアドライブ部（光ディスク記録再生装置）２０の内部構成は、図７を用いて後述する。
【００４９】
メモリ転送コントローラ５１は、メディアドライブ部２０からの再生データやメディアドライブ部２０に供給する記録データの送受制御を行う。バッファメモリ５２は、メディアドライブ部２０によってディスク９０のデータトラックから高密度データクラスタ単位で読み出されたデータをメモリ転送コントローラ５１の制御に基づいてバッファリングする。補助メモリ５３は、メディアドライブ部２０によってディスク９０から読み出されたＵＴＯＣデータ、ＣＡＴデータ、ユニークＩＤ、ハッシュ値等の各種管理情報や特殊情報をメモリ転送コントローラ５１の制御に基づいて記憶する。
【００５０】
システムコントローラ５７は、ＵＳＢインタフェース５５、ＵＳＢハブ５６を介して接続されたＰＣ１００との間で通信可能とされ、このＰＣ１００との間の通信制御を行って、書込要求、読出要求等のコマンドの受信やステイタス情報、その他の必要情報の送信等を行うとともに、ディスクドライブ装置５０全体を統括制御している。
【００５１】
システムコントローラ５７は、例えば、ディスク９０がメディアドライブ部２０に装填された際に、ディスク９０からの管理情報等の読出をメディアドライブ部２０に指示し、メモリ転送コントローラ５１によって読み出されたＰＴＯＣ、ＵＴＯＣ等の管理情報等を補助メモリ５３に格納させる。
【００５２】
システムコントローラ５７は、これらの管理情報を読み込むことによって、ディスク９０のトラック記録状態を把握できる。また、ＣＡＴを読み込ませることにより、データトラック内の高密度データクラスタ構造を把握でき、ＰＣ１００からのデータトラックに対するアクセス要求に対応できる状態となる。
【００５３】
ユニークＩＤやハッシュ値により、ディスク認証処理及びその他の処理を実行したり、これらの値をＰＣ１００に送信し、ＰＣ１００上でディスク認証処理及びその他の処理を実行させる。
【００５４】
システムコントローラ５７は、ＰＣ１００から、あるＦＡＴセクタの読出要求があった場合、メディアドライブ部２０に対して、このＦＡＴセクタを含む高密度データクラスタの読出を実行する旨の信号を与える。読み出された高密度データクラスタは、メモリ転送コントローラ５１によってバッファメモリ５２に書き込まれる。但し、既にＦＡＴセクタのデータがバッファメモリ５２に格納されていた場合、メディアドライブ部２０による読出は必要ない。
【００５５】
このとき、システムコントローラ５７は、バッファメモリ５２に書き込まれている高密度データクラスタのデータから、要求されたＦＡＴセクタのデータを読み出す信号を与え、ＵＳＢインタフェース５４、ＵＳＢハブ５６を介して、ＰＣ１００に送信するための制御を行う。
【００５６】
システムコントローラ５７は、ＰＣ１００から、あるＦＡＴセクタの書込要求があった場合、メディアドライブ部２０に対して、このＦＡＴセクタを含む高密度データクラスタの読出を実行させる。読み出された高密度データクラスタは、メモリ転送コントローラ５１によってバッファメモリ５２に書き込まれる。但し、既にこのＦＡＴセクタのデータがバッファメモリ５２に格納されていた場合は、メディアドライブ部２０による読出は必要ない。
【００５７】
また、システムコントローラ５７は、ＰＣ１００から送信されたＦＡＴセクタのデータ（記録データ）をＵＳＢインタフェース５４を介してメモリ転送コントローラ５１に供給し、バッファメモリ５２上で該当するＦＡＴセクタのデータの書換を実行させる。
【００５８】
システムコントローラ５７は、メモリ転送コントローラ５１に指示して、必要なＦＡＴセクタが書き換えられた状態でバッファメモリ５２に記憶されている高密度データクラスタのデータを記録データとしてメディアドライブ部２０に転送させる。このとき、メディアドライブ部２０は、装着されている媒体が従来ミニディスクであればＥＦＭ変調方式で、次世代ＭＤ１又は次世代ＭＤ２であればＲＬＬ（１−７）ＰＰ変調方式で高密度データクラスタの記録データを変調して書き込む。
【００５９】
なお、ディスクドライブ装置５０において、上述した記録再生制御は、データトラックを記録再生する際の制御であり、ＭＤオーディオデータ（オーディオトラック）を記録再生する際のデータ転送は、オーディオ処理部５８を介して行われる。
【００６０】
オーディオ処理部５８は、入力系として、例えば、ライン入力回路／マイクロフォン入力回路等のアナログ音声信号入力部、Ａ／Ｄ変換器、及びデジタルオーディオデータ入力部を備える。また、オーディオ処理部５８は、ＡＴＲＡＣ圧縮エンコーダ／デコーダ、圧縮データのバッファメモリを備える。さらに、オーディオ処理部５８は、出力系として、デジタルオーディオデータ出力部、Ｄ／Ａ変換器及びライン出力回路／ヘッドホン出力回路等のアナログ音声信号出力部を備えている。
【００６１】
ディスク９０に対してオーディオトラックが記録されるのは、オーディオ処理部５８にデジタルオーディオデータ（又は、アナログ音声信号）が入力される場合である。入力されたリニアＰＣＭデジタルオーディオデータ、或いはアナログ音声信号で入力された後、Ａ／Ｄ変換器で変換されて得られたリニアＰＣＭオーディオデータは、ＡＴＲＡＣ圧縮エンコードされ、バッファメモリに蓄積される。その後、所定タイミング（ＡＤＩＰクラスタ相当のデータ単位）でバッファメモリから読み出され、メディアドライブ部２０に転送される。
【００６２】
メディアドライブ部２０では、転送された圧縮データを第１の変調方式ＥＦＭ変調方式又はＲＬＬ（１−７）ＰＰ変調方式で変調してディスク９０にオーディオトラックとして書き込む。
【００６３】
メディアドライブ部２０は、ディスク９０からオーディオトラックを再生する場合、再生データをＡＴＲＡＣ圧縮データ状態に復調してオーディオ処理部５８に転送する。オーディオ処理部５８は、ＡＴＲＡＣ圧縮デコードを行ってリニアＰＣＭオーディオデータとし、デジタルオーディオデータ出力部から出力する。或いは、Ｄ／Ａ変換器によりアナログ音声信号としてライン出力／ヘッドホン出力を行う。
【００６４】
この図６において、メディアドライブ部２０は、ディスク９０に記録されているデータを、セクタ単位（第１世代ＭＤ）、ブロック単位（高密度ディスク２）で読み出すとき、読み出そうとした上記セクタ単位又はブロック単位のデータに読み出し不能のエラーが有るか否かを検出する。詳細には、後述の図７におけるＡＣＩＲＣデコーダ２８又はＲＳ−−ＬＤＣデコーダ３６において読み出し不能のエラーが有るか否かを検出する。
【００６５】
また、バッファメモリ５２は、メディアドライブ部２０によってディスク９０から読み出されたセクタ単位（第１世代ＭＤ）、ブロック単位（高密度ディスク２）のデータを溜め込む。
【００６６】
また、パーソナルコンピュータ１００又はオーディオ処理部５８は、バッファメモリ５２に溜め込まれたセクタ単位（第１世代ＭＤ）、ブロック単位（高密度ディスク２）のデータをデコードする。
【００６７】
システムコントローラ５７は、ディスク９０を再生中にメディアドライブ部２０が読み出そうとした上記セクタ単位又はブロック単位のデータに読み出し不能のエラーを検出したときには、上セクタ単位又はブロック単位のデータの再生時間よりも短い所定の時間だけオーディオ処理部５８又はパーソナルコンピュータ１００を介してミュート状態にする。
【００６８】
セクタ単位のデータをミュートすると、上述したように、200msec〜250msec程である。また、高密度ディスク２を読み出す単位であるブロック単位でもしもミュートすると、上述したように、8秒、15秒のミュートになってしまう。これでは、第１世代ＭＤと高密度ＭＤを再生したときに、読み出し不能のエラーがあったときに、ミュート時間があまりにも異なってしまう。したがって、高密度ＭＤを再生するときには、一層ユーザーに違和感を与えてしまうことになる。
【００６９】
そこで、このディスクドライブ装置５０にあっても、システムコントローラ５７は、高密度ディスク２に上記読み出し不能のエラーを検出したと判断すると、エラーフラグをＤＲＡＭ５２内にメモリ転送コントローラ５１を介して書き込む。そして、読み出し不能のブロックについてはエラーフラグを立てたまま、上記図５のステップＳ４に示したエラー再生を行う。このステップＳ４のエラー再生は、ブロック単位のデータの再生時間よりも短い所定の時間、サウンドフレームSF分だけミュート状態とするものである。
【００７０】
上述したように、1SFあたりの再生時間は圧縮方式（Codec）によって異なり、ATRAC3plusの場合46.4ms/SF、ATRAC3の場合23.2ms/SFであった。従来の方法でブロック単位でミュートすると、上述したように、ミュート時間は自己録音できる最小ビットレート64kbpsの場合に約8秒、Hi-MD Audioで再生可能な最小ビットレート32kbpsの場合に約15秒となってしまうのに比較して短時間とすることができる。これにより、ユーザーに違和感を与えることがないような時間で記録状態が悪いことを認識させることができる。
【００７１】
図７には、第１世代ＭＤ、高密度ＭＤ−１及び高密度ディスク２を記録再生するためのメディアドライブ部２０（光磁気ディスク記録再生装置）の構成を示す。このメディアドライブ部２０は、本件出願人によるＷＯ03/088228に開示されているディスク判別技術によりディスク種別を判別する。このディスク判別技術は、回転駆動されている例えば高密度ＭＤ−１又は高密度ＭＤ−３に、対物レンズもしくは光学ブロック（光学ピックアップ）を一定速度で内周側から外周側に移動させながらレーザ光をフォーカスオンした状態で得られる、ウォブルグルーブの反射光から光のトラッキングエラー信号と全光量信号を検出し、位相を比較することによって各ディスクの種別を判定する。トラッキングエラー検出手段により検出されたトラッキングエラー信号の２値化信号と全光量信号検出手段により検出された全光量信号の２値化信号との位相を比較することによって光ディスクの種類を判定する構成である。もちろん、第１世代ＭＤと、高密度ディスクとを判別することもできる。
【００７２】
メディアドライブ部２０は、第１世代ＭＤ、高密度ＭＤ−１、高密度ＭＤ−３を記録再生するために、特に、記録処理系として、従来ミニディスクの記録のためのＥＦＭ変調・ＡＣＩＲＣエンコードを実行する構成と、高密度ＭＤ−１及び高密度ＭＤ−３の記録のためのＲＬＬ（１−７）ＰＰ変調・ＲＳ−ＬＤＣエンコードを実行する構成とを備える点が特徴的である。再生処理系として、従来ミニディスクの再生のためのＥＦＭ復調・ＡＣＩＲＣデコードを実行する構成と、次世代ＭＤ１及び次世代ＭＤ２の再生にＰＲ（１，２，１）ＭＬ、ＰＲ（１，−１）ＭＬ及びビタビ復号を用いたデータ検出に基づくＲＬＬ（１−７）復調・ＲＳ−ＬＤＣデコードを実行する構成を備えている点が特徴的である。
【００７３】
メディアドライブ部２０は、装填されたディスク９０をスピンドルモータ２１によってＣＬＶ方式又はＺＣＡＶ方式にて回転駆動する。記録再生時には、このディスク９０に対して、光学ヘッド２２からレーザ光が照射される。
【００７４】
光学ヘッド２２は、記録時に記録トラック上の記録層をキュリー温度まで加熱するための高レベルのレーザ出力を行い、再生時には、磁気カー効果により反射光からデータを検出するための比較的低レベルのレーザ出力を行う。このため、光学ヘッド２２は、レーザ出力手段としてのレーザダイオード、偏光ビームスプリッタや対物レンズ等からなる光学系及び反射光を検出するためのディテクタが搭載されている。光学ヘッド２２に備えられる対物レンズとしては、例えば２軸機構によってディスク半径方向及びディスクに接離する方向に変位可能に保持されている。この光学ヘッド２２には、内蔵の光ディスク判別装置に受光信号Ａ、受光信号Ｂを供給するフォトディテクタＰＤが備えられている。対物レンズ、或いは光学ヘッド２２全体は、光ディスク判別時には、進行方向を決める必要があるのである一定の速度で、内周から外周へ移動させられる。偏芯による移動量に打ち勝つ速度で前記受光信号Ａ、Ｂを検出することができる。
【００７５】
本具体例では、媒体表面の物理的仕様が異なる第１世代ＭＤと、高密度ＭＤ−３とに対して最大限の再生特性を得るために、光学ヘッド２２の読取光光路中に位相補償板を設ける。この位相補償板により、読取り時におけるビットエラーレートを最適化できる。なお、第１世代ＭＤと高密度ＭＤ−１とは物理的仕様は同一である。
【００７６】
ディスク９０を挟んで光学ヘッド２２と対向する位置には、磁気ヘッド２３が配置されている。磁気ヘッド２３は、記録データによって変調された磁界をディスク９０に印加する。図示しないが光学ヘッド２２全体及び磁気ヘッド２３をディスク半径方向に移動させるためのスレッドモータ及びスレッド機構が備えられている。このスレッドモータ及びスレッド機構は、内蔵の光ディスク判別装置が光ディスクを判別する時に、光学ヘッド２２を内周から外周に移動する。
【００７７】
このメディアドライブ部２０では、光学ヘッド２２、磁気ヘッド２３による記録再生ヘッド系、スピンドルモータ２１によるディスク回転駆動系のほかに、記録処理系、再生処理系、サーボ系等が設けられる。
【００７８】
記録処理系としては、第１世代ＭＤに対する記録時にＥＦＭ変調、ＡＣＩＲＣエンコードを行う回路部と、高密度ＭＤ−１及び高密度ＭＤ−３に対する記録時にＲＬＬ（１−７）ＰＰ変調、ＲＳ−ＬＤＣエンコードを行う回路部とが設けられる。
【００７９】
再生処理系としては、第１世代ＭＤの再生時にＥＦＭ変調に対応する復調及びＡＣＩＲＣデコードを行う部位と、高密度ＭＤ−１及び高密度ＭＤ−３の再生時にＲＬＬ（１−７）ＰＰ変調に対応する復調（ＰＲ（１，２，１）ＭＬ及びビタビ復号を用いたデータ検出に基づくＲＬＬ（１−７）復調）、ＲＳ−ＬＤＣデコードを行う回路部とが設けられる。
【００８０】
光学ヘッド２２のディスク９０に対するレーザ照射によりその反射光として検出された情報（フォトディテクタによりレーザ反射光を検出して得られる光電流）は、ＲＦアンプ２４に供給される。ＲＦアンプ２４では、入力された検出情報に対して電流−電圧変換、増幅、マトリクス演算等を行い、再生情報としての再生ＲＦ信号、トラッキングエラー信号ＴＥ、フォーカスエラー信号ＦＥ、グルーブ情報（ディスク９０にトラックのウォブリングにより記録されているＡＤＩＰ情報）等を抽出する。
【００８１】
第１世代ＭＤの再生時には、ＲＦアンプ２４で得られた再生ＲＦ信号は、コンパレータ２５、ＰＬＬ回路２６を介して、ＥＦＭ復調部２７及びＡＣＩＲＣデコーダ２８で処理される。再生ＲＦ信号は、ＥＦＭ復調部２７で２値化されてＥＦＭ信号列とされた後、ＥＦＭ復調され、さらにＡＣＩＲＣデコーダ２８で誤り訂正及びデインタリーブ処理される。オーディオデータであれば、この時点でＡＴＲＡＣ圧縮データの状態となる。このとき、セレクタ２９は、第１世代ＭＤ信号側が選択されており、復調されたＡＴＲＡＣ圧縮データがディスク９０からの再生データとしてデータバッファ３０に出力される。この場合、図示しないオーディオ処理部に圧縮データが供給される。
【００８２】
一方、高密度ＭＤ−１又は高密度ＭＤ−３の再生時には、ＲＦアンプ２４で得られた再生ＲＦ信号は、Ａ／Ｄ変換回路３１、イコライザ３２、ＰＬＬ回路３３、ＰＲＭＬ回路３４を介して、ＲＬＬ（１−７）ＰＰ復調部３５及びＲＳ−ＬＤＣデコーダ３６で信号処理される。再生ＲＦ信号は、ＲＬＬ（１−７）ＰＰ復調部３５において、ＰＲ（１，２，１）ＭＬ及びビタビ復号を用いたデータ検出によりＲＬＬ（１−７）符号列としての再生データを得て、このＲＬＬ（１−７）符号列に対してＲＬＬ（１−７）復調処理が行われる。さらに、ＲＳ−ＬＤＣデコーダ３６にて誤り訂正及びデインタリーブ処理される。このとき、ＲＳ−ＬＤＣデコーダ３６は、高密度ディスク２からの再生データ（圧縮データ）を、読み出そうとしたブロック単位のデータに読み出し不能のエラーが有るか否かを検出する。ＲＳ−ＬＤＣデコーダ３６がエラー検出結果は、セレクタ２９、データバッファ３０を介してシステムコントローラ５７に供給される。システムコントローラ５７は、高密度ディスク２（高密度ＭＤ−１又は高密度ＭＤ−３）を再生中にメディアドライブ部２０が読み出そうとした上記ブロック単位のデータに読み出し不能のエラーを検出したときには、ブロック単位のデータの再生時間よりも短い所定の時間だけ、例えばパーソナルコンピュータ１００中のオーディオデコーダを通してミュート状態にする。
【００８３】
この場合、セレクタ２９は、高密度ＭＤ−１・高密度ＭＤ−３側が選択され、復調されたデータがディスク９０からの再生データとしてデータバッファ３０に出力される。このとき、図示しないメモリ転送コントローラに対して復調データが供給される。
【００８４】
ＲＦアンプ２４から出力されるトラッキングエラー信号ＴＥ、フォーカスエラー信号ＦＥは、サーボ回路３７に供給され、グルーブ情報は、ＡＤＩＰデコータ３８に供給される。
【００８５】
ＡＤＩＰデコータ３８は、グルーブ情報に対してバンドパスフィルタにより帯域制限してウォブル成分を抽出した後、ＦＭ復調、バイフェーズ復調を行ってＡＤＩＰアドレスを抽出する。抽出された、ディスク上の絶対アドレス情報であるＡＤＩＰアドレスは、従来ミニディスク及び次世代ＭＤ１の場合であれば、ＭＤアドレスデコーダ３９を介し、次世代ＭＤ２の場合であれば、次世代ＭＤ２アドレスデコーダ４０を介してドライブコントローラ４１に供給される。
【００８６】
ドライブコントローラ４１では、各ＡＤＩＰアドレスに基づいて、所定の制御処理を実行する。またグルーブ情報は、スピンドルサーボ制御のためにサーボ回路３７に戻される。
【００８７】
サーボ回路３７は、例えばグルーブ情報に対して再生クロック（デコード時のＰＬＬ系クロック）との位相誤差を積分して得られる誤差信号に基づき、ＣＬＶサーボ制御及び前述したＺＣＡＶサーボ制御のためのスピンドルエラー信号を生成する。
【００８８】
サーボ回路３７は、スピンドルエラー信号や、上述のようにＲＦアンプ２４から供給されたトラッキングエラー信号、フォーカスエラー信号、或いはドライブコントローラ４１からのトラックジャンプ指令、アクセス指令等に基づいて各種サーボ制御信号（トラッキング制御信号、フォーカス制御信号、スレッド制御信号、スピンドル制御信号等）を生成し、モータドライバ４２に対して出力する。すなわち、上記サーボエラー信号や指令に対して位相補償処理、ゲイン処理、目標値設定処理等の必要処理を行って各種サーボ制御信号を生成する。
【００８９】
モータドライバ４２では、サーボ回路３７から供給されたサーボ制御信号に基づいて所定のサーボドライブ信号を生成する。ここでのサーボドライブ信号としては、２軸機構を駆動する２軸ドライブ信号（フォーカス方向、トラッキング方向の２種）、スレッド機構を駆動するスレッドモータ駆動信号、スピンドルモータ２１を駆動するスピンドルモータ駆動信号となる。このようなサーボドライブ信号により、ディスク９０に対するフォーカス制御、トラッキング制御、及びスピンドルモータ２１に対するＣＬＶ制御又はＺＣＡＶ制御が行われる。
【００９０】
ディスク９０に対して記録動作が実行される際には、図示しないメモリ転送コントローラ５１から高密度データ、或いはオーディオ処理部からの通常のＡＴＲＡＣ圧縮データが供給される。
【００９１】
第１世代ＭＤに対する記録時には、セレクタ４３が第１世代ＭＤ側に接続され、ＡＣＩＲＣエンコーダ４４及びＥＦＭ変調部４５が機能する。この場合、オーディオ信号であれば、オーディオ処理部１９からの圧縮データは、ＡＣＩＲＣエンコーダ４４でインタリーブ及びエラー訂正コード付加が行われた後、ＥＦＭ変調部４５においてＥＦＭ変調される。ＥＦＭ変調データがセレクタ４３を介して磁気ヘッドドライバ４６に供給され、磁気ヘッド２３がディスク９０に対してＥＦＭ変調データに基づいた磁界印加を行うことで変調されたデータが記録される。
【００９２】
高密度ディスク２（高密度ＭＤ−１及び高密度ＭＤ−３）に対する記録時には、セレクタ４３が高密度ＭＤ−１及び高密度ＭＤ−３側に接続され、ＲＳ−ＬＣＤエンコーダ４７及びＲＬＬ（１−７）ＰＰ変調部４８が機能する。この場合、メモリ転送コントローラ５１から送られた高密度データは、ＲＳ−ＬＣＤエンコーダ４７でインタリーブ及びＲＳ−ＬＤＣ方式のエラー訂正コード付加が行われた後、ＲＬＬ（１−７）ＰＰ変調部４８にてＲＬＬ（１−７）変調される。
【００９３】
ＲＬＬ（１−７）符号列に変調された記録データは、セレクタ４３を介して磁気ヘッドドライバ４６に供給され、磁気ヘッド２３がディスク９０に対して変調データに基づいた磁界印加を行うことでデータが記録される。
【００９４】
レーザドライバ／ＡＰＣ４９は、上述のような再生時及び記録時においてレーザダイオードにレーザ発光動作を実行させるが、いわゆるＡＰＣ（Automatic Lazer Power Control）動作も行う。具体的には、図示しないが、光学ヘッド２２内には、レーザパワーモニタ用のディテクタが設けられており、このモニタ信号がレーザドライバ／ＡＰＣ４９にフィードバックされるようになっている。レーザドライバ／ＡＰＣ４９は、モニタ信号として得られた現在のレーザパワーを予め設定されているレーザパワーと比較して、その誤差分をレーザ駆動信号に反映させることによって、レーザダイオードから出力されるレーザパワーが設定値で安定化されるように制御している。ここで、レーザパワーは、ドライブコントローラ４１によって、再生レーザパワー及び記録レーザパワーとしての値がレーザドライバ／ＡＰＣ４９内部のレジスタにセットされる。
【００９５】
ドライブコントローラ４１は、システムコントローラ５７からの指示に基づいて、以上の各動作（アクセス、各種サーボ、データ書込、データ読出の各動作）が実行されるように各構成を制御する。なお、図７において一点鎖線で囲った各部は、１チップの回路として構成することもできる。
【００９６】
以上構成、動作を説明したメディアドライブ部２０を備えるディスクドライブ装置５０は、高密度ディスク２に読み出し不能のエラーを検出したと判断すると、エラーフラグをＤＲＡＭ５２内にメモリ転送コントローラ５１を介して書き込む。そして、読み出し不能のブロックについてはエラーフラグを立てたまま、エラー再生を行う。このエラー再生は、ブロック単位のデータの再生時間よりも短い所定の時間、サウンドフレームSF分だけミュート状態とするものである。これにより、ディスクドライブ装置５０は、高密度ディスク２に読み出し不能のエラーが生じた場合でも、第１世代ＭＤに読み出し不能のエラーが生じた場合とあまり時間的差のないミュート状態を作りだすことができるので、ユーザーに違和感を与えることがない。つまり、ユーザに違和感を与えないようなミュート時間で記録状態が悪いことを認識させることができる。
【図面の簡単な説明】
【００９７】
【図１】実施の形態の光磁気ディスク再生装置の概略構成を示す図である。
【図２】高密度ディスクの圧縮情報を示す図である。
【図３】ブロックとサウンドフレームの関係を示す図である。
【図４】光磁気ディスク再生装置１の詳細な構成を示す図である。
【図５】光磁気ディスク再生装置１の一連の処理手順を示すフローチャートである。
【図６】高密度ＭＤ−１、高密度ＭＤ−３の他に、第１世代ＭＤを記録再生の対象とするディスクドライブ装置の構成を示す図である。
【図７】第１世代ＭＤ、高密度ＭＤ−１及び高密度ディスク２を記録再生するためのメディアドライブ部の構成を示す図である。
【図８】第１世代ＭＤ、高密度ＭＤ−１及び高密度ディスク２のディスク仕様を示す図である。
【符号の説明】
【００９８】
１  光磁気ディスク再生装置、２  高密度ディスク、３  ディスク読み出し部、１２  ＤＲＡＭ、１３  オーディオデコーダ、１５  メモリコントローラ、１６  システムコントローラ
【図１】
2005327426.tif 000003
【図２】
2005327426.tif 000004
【図３】
2005327426.tif 000005
【図４】
2005327426.tif 000006
【図５】
2005327426.tif 000007
【図６】
2005327426.tif 000008
【図７】
2005327426.tif 000009
【図８】
2005327426.tif 000010